【手続補正書】
【提出日】平成16年6月25日(2004.6.25)
【手続補正１】
【補正対象書類名】特許請求の範囲
【補正対象項目名】全文
【補正方法】変更
【補正の内容】
【特許請求の範囲】
【請求項１】
基地局が、所定のチップレートで、ＸおよびＹが１５より大きい整数の、Ｙ個の連続する要素からなる所定のＸ個のダウンリンク同期コードから選択された同期コードをダウンリンクパイロットタイムスロット内で伝送し、ユーザ機器が、通信信号を受信し、前記チップレートと少なくとも同じサンプリングレートで前記受信した通信信号をサンプリングする、時間フレーム形式を利用する無線通信システムにおいて使用するためのユーザ機器（ＵＥ）であって、
受信された通信信号サンプルを処理するための同期回路を備え、
前記同期回路は、前記チップレートと少なくとも同じ入力速度でサンプルを受け取り、前記サンプル入力速度より速い処理速度で連続するサンプルのセットを処理する同期コード決定回路を有し、
前記同期コード決定回路は、
受信された通信信号サンプルを前記サンプル入力速度で並列に受け取り、サンプルの各セットをＸ個のダウンリンク同期コードのセットの少なくとも２つの同期コードに相関させるための入力を有するＭ≦Ｘ／２である複数のＭ個のＹ要素相関器と、
前記相関器に動作上、関連付けられて連続するサンプルセットとのダウンリンク同期コードの正の相関を検出し、追跡する検出回路とを含み、
前記相関器のそれぞれは、前記サンプル入力速度の少なくとも２倍の速度でサンプルの各セットに関する符号相関を出力して、前記相関器が集合として、すべてのＸ個の同期コードに関する相関データを前記検出回路に出力してから、さらなる通信信号サンプルが処理されるようにするための出力を有する
ことを特徴とするユーザ機器（ＵＥ）。
【請求項２】
ダウンリンク同期コードの前記予め定めた数は３２個であり、各々が６４の連続する要素を有し、前記同期コード決定回路内に１６個を超える相関器が存在しないことを特徴とする請求項１に記載のＵＥ。
【請求項３】
８つを超えない相関器が前記同期コード決定回路内に存在し、各々が、受信された通信信号サンプルを前記サンプル入力速度で並列に受け取り、１入力速度期間内に、サンプルの各セットを、３２個のダウンリンク同期コードの前記セットの少なくとも４つの同期コードと、相関させることを特徴とする請求項２に記載のＵＥ。
【請求項４】
前記同期コード決定回路内の各相関器はＮ個のマッチドフィルタを含み、該マッチドフィルタの各々が、１入力速度期間内に、受信された通信信号サンプルセットの６４／Ｎ個の要素セグメントを、３２個のダウンリンク同期コードの前記セットの少なくとも４つの同期コードの対応する６４／Ｎ個の要素セグメントと、相関させることを特徴とする請求項３に記載のＵＥ。
【請求項５】
前記同期コード決定回路内の各相関器は、各々が４つの要素セグメントを相関させる、１６個のマッチドフィルタを含むことを特徴とする請求項４に記載のＵＥ。
【請求項６】
事前定義されたシステム時間フレーム構造の選択されたタイムスロット内のプライマリ共通制御物理チャネル（Ｐ−ＣＣＰＣＨ）で伝送される規定のチャネル（ＢＣＨ）のデータを受信し、ＵＥが前記ＢＣＨデータを送信した基地局と双方向通信を行うことを可能にし、伝送されたダウンリンク同期コードの各々が、規定のタイムスロット内で伝送されるミッドアンブルによって示された変調を有し、連続するダウンリンク同期コードの規定の変調シーケンスが、ＢＣＨデータの位置を特定し、前記ＵＥは、
前記同期コード決定回路に動作上、関連付けられ、検出されたダウンリンク同期コードの相対位置および識別に基づいて前記それぞれの伝送されたミッドアンブルを決定するミッドアンブル決定回路と、
前記ミッドアンブル決定回路および前記同期コード決定回路に動作上、関連付けられ、前記同期コード決定回路によって検出されたダウンリンク同期コード、および前記ミッドアンブル決定回路によって決定されたミッドアンブルに基づいて連続する検出されたダウンリンク同期コードの位相変調のシーケンスを決定する位相変調シーケンス検出回路とをさらに含むことを特徴とする請求項２に記載のＵＥ。
【請求項７】
前記同期コード決定回路は、前記検出回路に関連付けられたノイズ推定回路および自動周波数制御回路（ＡＦＣ）を含み、
前記ノイズ推定回路は、同期コード検出が依拠するノイズ推定を前記検出回路に提供し、
前記検出回路は、前記ＡＦＣを制御して、前記ミッドアンブル決定回路に入力される受信された通信サンプルとミキシングされる周波数訂正信号を生成することを特徴とする請求項６に記載のＵＥ。
【請求項８】
各同期コードは、それぞれの伝送されるダウンリンク同期コードとともに１つが伝送され、その伝送されるコードの変調を示すミッドアンブルの事前定義されたセットを示し、
前記ミッドアンブル決定回路は、バッファと、少なくとも１つのミッドアンブル相関器と、ミッドアンブルジェネレータと、ミッドアンブル判断回路とを含み、
前記バッファは、前記同期コード決定回路から、ＡＦＣ訂正された通信信号サンプルを受け取るための入力を有し、
前記ミッドアンブルジェネレータは、前記同期コード決定回路から前記決定された同期コードを受け取るための入力を有し、前記特定された同期コードが示すミッドアンブルの前記事前定義されたセットに基づいてミッドアンブルを順次に生成し、
前記ミッドアンブル相関器は、前記規定のタイムスロットのミッドアンブル部分に対応する前記バッファからの通信信号サンプルのセットを受け取るための入力、前記ミッドアンブルジェネレータから生成されたミッドアンブルを受け取るための入力、および前記ミッドアンブル判断回路に相関データを出力するための出力を有し、および
前記ミッドアンブル判断回路は、前記決定された同期コードが示すミッドアンブルの前記事前定義されたセットの前記ミッドアンブルのどれが前記決定された同期コードとともに伝送されたかを、前記規定のタイムスロットのミッドアンブル部分に対応する前記バッファからの通信信号サンプルのセットと前記ミッドアンブルジェネレータからの生成されたミッドアンブルとの間の相関データに基づいて決定し、および前記ミッドアンブルジェネレータに選択信号を出力するための出力を有し、前記ミッドアンブルジェネレータが、前記選択信号に基づくミッドアンブルを前記位相変調シーケンス検出回路に出力する出力を有する
ことを特徴とする請求項７に記載のＵＥ。
【請求項９】
複数のミッドアンブル相関器が存在し、前記同期コード決定回路内の前記相関器が、ミッドアンブル相関器として使用されることを特徴とする請求項８に記載のＵＥ。
【請求項１０】
位相変調シーケンス検出回路は、バッファと、位相相関器手段と、位相シーケンス判断回路とを含み、
前記位相変調シーケンス検出回路のバッファは、前記同期コード決定回路から通信信号サンプルを受け取るための入力を有し、
前記位相相関器手段は、前記受信された通信信号サンプルの同期コード部分に対応する前記位相変調シーケンス検出回路のバッファからの通信信号サンプルのセットと、前記ミッドアンブルジェネレータからの選択されたミッドアンブルとを受け取り、前記シーケンス判断回路に位相相関データを出力し、および
前記決定された同期コードに対応する通信信号サンプルの連続するセットの位相シーケンスを識別する前記シーケンス判断回路は、前記位相相関器手段から位相相関データを受け取るための入力を有し、規定の位相シーケンスが検出された場合、前記ＢＣＨデータの位置を識別する信号を出力するための出力を有する
ことを特徴とする請求項８に記載のＵＥ。
【請求項１１】
前記ミッドアンブル決定回路内の前記バッファが、前記位相変調シーケンス検出回路のバッファとして使用されることを特徴とする請求項１０に記載のＵＥ。
【請求項１２】
基地局が、所定のチップレートで、ＸおよびＹが１５より大きい整数の、Ｙ個の連続する要素からなる所定のＸ個のダウンリンク同期コードから選択された同期コードをダウンリンクパイロットタイムスロット内で伝送し、ダウンリンク通信信号が受信され、前記チップレートと少なくとも同じサンプリングレートでサンプリングされる、時間フレーム形式を利用する無線通信システムにおいて、受信した通信信号を処理するための方法であって、該方法は、
Ｍ≦Ｘ／２である複数のＭ個のＹ要素相関器を有する同期コード決定回路で、前記チップレートと少なくとも同じ入力速度で、通信信号サンプルを受け取ること、および、前記サンプル入力速度より速い処理速度で、連続するサンプルのセットを処理することを備え、該処理は、
前記サンプル入力速度で、前記相関器で並列に通信信号サンプルを受け取ること、および、サンプルのセットの各々をＸ個のダウンリンク同期コードのセットの少なくとも２つの同期コードと相関させること、
連続するサンプルセットとダウンリンク同期コードとの前記相関器の正の相関を検出することおよび追跡すること、および
さらに通信信号サンプルを処理する前に、集合的に前記相関器がすべてのＸ個の同期コードに関する相関データを出力するように、少なくとも前記サンプル入力速度の２倍の速度で、サンプルの各セット関して、前記相関器の各々から符号相関を出力すること
を含むことを特徴とする方法。
【請求項１３】
ダウンリンク同期コードの前記予め定めた数は３２個であり、各々が６４の連続する要素を有し、前記セットが相関する場合に、１６個を超える相関器が使用されないことを特徴とする請求項１２に記載の方法。
【請求項１４】
前記セットが相関される場合に、８つを超えない相関器が使用され、各相関器は、
受信された通信信号サンプルを前記サンプル入力速度で並列に受け取り、サンプルの各セットを、１入力速度期間内に、３２個のダウンリンク同期コードの前記セットの少なくとも４つの同期コードと相関させることを特徴とする請求項１３に記載の方法。
【請求項１５】
各相関器はＮ個のマッチドフィルタを含み、該マッチドフィルタの各々が、１入力速度期間内に、受信された通信信号サンプルセットの６４／Ｎ個の要素セグメントを、３２個のダウンリンク同期コードの前記セットの少なくとも４つの同期コードの対応する６４／Ｎ個の要素セグメントと、相関させることを特徴とする請求項１４に記載の方法。
【請求項１６】
各相関器は、各々が４つの要素セグメントを相関させる、１６個のマッチドフィルタを含むことを特徴とする請求項１５に記載の方法。
【請求項１７】
事前定義されたシステム時間フレーム構造の選択されたタイムスロット内のプライマリ共通制御物理チャネル（Ｐ−ＣＣＰＣＨ）で伝送される規定のチャネル（ＢＣＨ）のデータを受信し、前記ＢＣＨデータを送信した基地局との双方向通信を可能とし、伝送されたダウンリンク同期コードの各々が、規定のタイムスロット内で伝送されるミッドアンブルによって示された変調を有し、連続するダウンリンク同期コードの規定の変調シーケンスが、ＢＣＨデータの位置を特定し、
前記方法は、
検出されたダウンリンク同期コードの相対位置および識別に基づいて、伝送されたミッドアンブルの各々を決定すること、および
検出されたダウンリンク同期コードおよび決定されたミッドアンブルに基づいて、連続する検出されたダウンリンク同期コードの位相変調のシーケンスを決定すること
備えたことを特徴とする請求項１３に記載の方法。
【請求項１８】
ノイズ推定回路を使用して、同期コード検出が依拠するノイズ推定を生成すること、および
前記相関させることの前に、自動周波数制御回路（ＡＦＣ）を使用して、受信された通信サンプルとミキシングされる周波数訂正信号を生成すること
をさらに備えたことを特徴とする請求項１７に記載の方法。
【手続補正２】
【補正対象書類名】明細書
【補正対象項目名】０００４
【補正方法】変更
【補正の内容】
【０００４】
図１は、現在３ＧＰＰによって規定されている無線システムの１．２８Ｍｃｐｓの低チップレートオプションに関する時間フレームを示している。１０ミリ秒のフレームが、各５ミリ秒の２つのサブフレームに分割されている。各サブフレームは、７つのタイムスロット、ならびにアップリンクおよびダウンリンクの同期（ＳＹＮＣ）信号のための別個の領域を含む。各タイムスロット０〜６は、通信データシンボルおよびミッドアンブル識別コードを受け取るように構成されている。タイムスロット０は、常にダウンリンク（ＤＬ）スロットである。タイムスロット１は、常にアップリンク（ＵＬ）スロットである。タイムスロット２〜６は、ＵＬまたはＤＬのいずれかの用途に構成されることができる。
【手続補正３】
【補正対象書類名】明細書
【補正対象項目名】０００７
【補正方法】変更
【補正の内容】
【０００７】
ＳＹＮＣ−ＤＬコードに対して４相位相変移変調（ＱＰＳＫ）が使用される。各サブフレーム内で、ＤＬタイムスロット０内のミッドアンブルコードが、ＤｗＰＴＳ内のＳＹＮＣ−ＤＬコードのＱＳＰＫ位相基準を提供する。したがって、タイムスロット０のミッドアンブルコードが決定されると、サブフレームのＤｗＰＴＳ内のＳＹＮＣ−ＤＬコードのＱＰＳＫ変調を確認することができる。スーパーフレームのタイミング（ＳＦＴ）は、規定された数の連続するサブフレームにわたるＳＹＮＣ−ＤＬコード上の４相位相変移変調（ＱＰＳＫ）の特定のシーケンスによって示される。
【手続補正４】
【補正対象書類名】明細書
【補正対象項目名】００２５
【補正方法】変更
【補正の内容】
【００２５】
相関器１２1ないし１２Mは、第１の入力速度で信号サンプルを受け取るが、より速い速度で動作するので、各相関器は、少なくとも２つの異なるＳＹＮＣ−ＤＬコードに関する相関データを出力してから、後続の信号サンプルの処理を行うことができる。例えば、図４を参照すると、所与のサンプル入力速度（ｉｒ）に対して、ＳＹＮＣ−ＤＬコードジェネレータ１１からのコード入力速度は、例えば、従来の６４要素のＳＹＮＣ−ＤＬコード場合、Ｎ個のマッチドフィルタのそれぞれについて、Ｎ＝１６の場合、ｉｒ周期ごとに少なくとも８つのコード要素である。各々対応するＳＹＮＣ−ＤＬコードの４つの要素のセットが１６個のマッチドフィルタのそれぞれによって受け取られた後、相関データ出力が２乗され、全体として合計されて、出力され、これによって１６個のマッチドフィルタによって処理された最初の４つの要素のセットが最初の６４要素のＳＹＮＣ−ＤＬコードについての相関を出力し、１６個のマッチドフィルタによって処理される２番目の４つの要素のセットが２番目の６４要素のＳＹＮＣ−ＤＬコードについての相関を出力する。各相関器１２1ないし１２Mは、サンプル入力速度周期ごとに少なくとも２つのＳＹＮＣ−ＤＬコードを処理するので、重大な処理遅延を全く被ることなく必要とされる相関器の数Ｍは、可能なコードの数の半分を超えない。
【手続補正５】
【補正対象書類名】明細書
【補正対象項目名】００２６
【補正方法】変更
【補正の内容】
【００２６】
好ましい構成では、各相関器１２1ないし１２Mは、好ましくは、サンプル入力速度周期ごとに４つのＳＹＮＣ−ＤＬコードを処理する速度で動作し、したがって、８個（Ｍ＝８）の相関器が使用される。すなわち、可能なコードの数（３２）を速度係数（４）で割った数である。好ましい実施形態では、各相関器は、長さ４の１６個（Ｎ＝１６）のマッチドフィルタから構成される。すなわち、コードの長さ（６４）をセグメントの数（４）で割った数である。要素処理の点からは、処理される信号サンプルの各要素に関して、各マッチドフィルタによってＳＹＮＣ−ＤＬコードの１６の要素、すなわち、４つの４要素のセット、が処理される。
【手続補正６】
【補正対象書類名】明細書
【補正対象項目名】００３７
【補正方法】変更
【補正の内容】
【００３７】
判断回路３４が、決定されたミッドアンブルと４つまたはそれより多くの連続するＳＹＮＣ−ＤＬコードとの間の位相効果を計算する。判断回路３４は、前述したＳ１シーケンスのような選択されたシーケンスが検出されたか否かを決定する。選択された変調シーケンスが検出された場合、判断回路３４は、スーパーフレームタイミング（ＳＦＴ）を出力し、タイムスロット０内のＰ−ＣＣＰＣＨでＢＣＨデータが伝送されるスーパーフレームの先頭を特定する。これは、ＤｗＰＴＳの変調のＳ１シーケンスに続く次のスーパーフレームとして３ＧＰＰにおいて現在、規定されている。
【手続補正７】
【補正対象書類名】図面
【補正対象項目名】図４
【補正方法】変更
【補正の内容】
【図４】
2005506734.tif 000001